(57)【要約】【課題】少ない部品で精度よく三次元の各方向の位置を定めて光学部品を固定できる機構を提供する。【解決手段】柱状の光学部品を支持する支持部と、軸方向の光学部品の位置を定める軸方向規制部と、光学部品の周面を囲んで支持部に固定する固定部材とを備え、前記固定部材は、光学部品を前記支持部に向けて付勢し、かつ、前記軸方向規制部に向けて付勢する弾性部材からなることを特徴とする光学部品固定装置。【選択図】図１
2008032821.tif 000002
【特許請求の範囲】
【請求項１】
柱状の光学部品を支持する支持部と、
軸方向の光学部品の位置を定める軸方向規制部と、
光学部品の周面を囲んで支持部に固定する固定部材とを備え、
前記固定部材は、光学部品を前記支持部に向けて付勢し、かつ、前記軸方向規制部に向けて付勢する弾性部材からなることを特徴とする光学部品固定装置。
【請求項２】
前記光学部品は、全周もしくは一部の周に軸方向の段差部を有し、
前記固定部材は、帯状の形状を有し、両端部にあって支持部に固定される取付部と、光学部品の周面を押さえる押さえ部と光学部品の段差部と係合する係合部とを有する請求項１に記載の光学部品固定装置。
【請求項３】
前記光学部品は、軸を中心に左右対称な形状を有し、
前記支持部は、軸に対して左右対称な複数の位置で周面を支持する請求項１に記載の光学部品固定装置。
【請求項４】
前記光学部品が部分的に挿入され、挿入された光学部品の周面が縁部に当接する開口部を有してなり、
前記支持部は、光学部品の周面に当接する部分の縁部である請求項１記載の光学部品固定装置。
【請求項５】
前記軸方向規制部は、挿入された光学部品の一方の端面に当接する部分の縁部である請求項４記載の光学部品固定装置。
【請求項６】
前記光学部品は、軸に直交する断面が円形もしくは正多角形である請求項１記載の光学部品固定装置。
【請求項７】
前記固定部材は、係合部として、帯の幅方向の端部から突出する１以上の突出部を有する請求項２記載の光学部品固定装置。
【請求項８】
前記光学部品は、軸を中心に左右対称な形状を有し、
前記支持部は、軸に対して左右対称な複数の位置で光学部品の周面を支持し、
前記固定部材は、軸に対して左右対称な複数の位置で光学部品の段差部と係合するように突出部が配されてなる請求項７記載の光学部品固定装置。
【請求項９】
請求項１〜８のいずれか一つの光学部品固定装置を備えてなり、
前記光学部品が、原稿の像を読み取り面に結像させる結像レンズである原稿読取装置。
【発明の詳細な説明】
【技術分野】
【０００１】
この発明は、所定の位置に光学部品を固定する光学部品固定装置および前記光学部品固定装置を備えてなる原稿読取装置に関する。
【背景技術】
【０００２】
一般に、光学装置においては、光路中の所定位置に精度よく光学部品を配置することが求められる。しかも、コスト上の観点からは、少ない部品で光学部品を精度よく固定できる機構が望まれる。また、取付機構の単純化は、装置の小型化にも貢献する。
【０００３】
光学部品としては、レンズ、ミラー、発光素子、受光素子などが代表的なものである。これらの光学部品を支持体に精度よく取り付ける機構として、種々のものが提案されている。例えば、保持体に溝を形成し、溝を形成する面のうち２つの平面で光源またはレンズを位置決めするものが知られている（例えば、特許文献１参照）。
また、弾性部材によりレンズを一方向に付勢して位置決めを行うものが知られている（例えば、特許文献２参照）。
【特許文献１】実開昭６３−１６２３１０号公報
【特許文献２】特開２００３−１７２８９６号公報
【発明の開示】
【発明が解決しようとする課題】
【０００４】
光学部品の形状としては、軸を中心に左右対称なのものが多い。例えば、円柱状のものや、多角柱状のもの、それらを軸に直交する方向に扁平にした形状や、突起などの変形部分を有するもの、軸方向に段差を有するものなどがある。軸は、多くの場合光軸、すなわち光路の軸と一致すべきものである。あるいは、光学部品の軸によって、光学系の光軸が決まる場合もある。これらの形状を有する光学部品を支持体の所定位置に取り付ける機構は、複雑になりがちである。たとえば、前述の特許文献においても、レンズを支持するための部材は複数あり、それぞれの部材は、複雑な形状を有している。単純な構造で三次元の各方向に光学部品の位置を決める機構、換言すれば、単純な構造で光軸の位置ならびに方向、光軸方向の光学部品の位置を精度よく定めて固定できる機構が望まれている。
この発明は、以上のような事情を考慮してなされたものであり、少ない部品で精度よく三次元の各方向の位置を定めて光学部品を固定できる機構を提供するものである。
【課題を解決するための手段】
【０００５】
この発明は、柱状の光学部品を支持する支持部と、軸方向の光学部品の位置を定める軸方向規制部と、光学部品の周面を囲んで支持部に固定する固定部材とを備え、前記固定部材は、光学部品を前記支持部に向けて付勢し、かつ、前記軸方向規制部に向けて付勢する弾性部材からなることを特徴とする光学部品固定装置を提供する。
また、この発明は、前記の光学部品固定装置を備えてなり、前記光学部品が、原稿の像を読み取り面に結像させる結像レンズである原稿読取装置を提供する。
ここで、光学部品は、前述の結像レンズに限定されるものではなく、例えば、レーザビームで感光体を露光する画像形成装置中でレーザビームを集光させる集光レンズであってもよい。柱状の外形を有する光学部品であれば、その機能、種類は限定されない。
また、原稿読取装置は、原稿台に載置された原稿を走査部で走査し、走査される原稿像を撮像素子上に結像させる縮小光学系を備えた走査型の原稿読取装置であってもよい。
【発明の効果】
【０００６】
この発明の光学部品固定装置は、前記固定部材が、光学部品を前記支持部に向けて付勢し、かつ、前記軸方向規制部に向けて付勢する弾性部材からなるので、少ない部品で精度よく三次元の各方向の位置を定めて光学部品を固定することができる。
【０００７】
前記光学部品は、全周もしくは一部の周に軸方向の段差部を有し、前記固定部材は、帯状の形状を有し、両端部にあって支持部に固定される取付部と、光学部品の周面を押さえる押さえ部と光学部品の段差部と係合する係合部とを有していてもよい。このようにすれば、固定部材は、胴部で光学部品を支持部に向けて付勢するとともに、係合部で光学部品を軸方向規制部に向けて付勢することができるので、一つの部材で、互いに直交する２つの方向に光学部品を付勢することができる。
また、前記光学部品は、軸を中心に左右対称な形状を有し、前記支持部は、軸に対して左右対称な複数の位置で周面を支持するようにしてもよい。このようにすれば、前記光学部品が軸に左右対称な位置で支持されるので、軸の方向が安定する。
さらにまた、前記光学部品が部分的に挿入され、挿入された光学部品の周面が縁部に当接する開口部を有してなり、前記支持部は、光学部品の周面に当接する部分の縁部であってもよい。このようにすれば、開口部を設けるという単純な構成によって光学部品を支持することができる。しかも、開口部の縁部のうち、互いに対向するに縁部で光学部品を安定して支持することができる。
【０００８】
さらに、前記軸方向規制部は、挿入された光学部品の一方の端面に当接する部分の縁部であってもよい。このようにすれば、支持部に加えて軸方向規制部も、開口部を設けるという単純な構成によって実現することができる。
前記光学部品は、軸に直交する断面が円形もしくは正多角形であってもよい。
また、前記固定部材は、係合部として、帯の幅方向の端部から突出する１以上の突出部を有するものであってもよい。このようにすれば、前記固定部材は突出部で光学部品と係合し、その他の箇所で係合しないので、光学部品を軸方向に付勢する位置が明確になる。従って、光学部品を安定した力で軸方向に付勢することが可能になる。
光学部品は、軸を中心に左右対称な形状を有し、前記支持部は、軸に対して左右対称な複数の位置で光学部品の周面を支持し、前記固定部材は、軸に対して左右対称な複数の位置で光学部品の段差部と係合するように突出部が配されてなるものであってもよい。このようにすれば、光学部品が軸に左右対称な位置で軸方向に付勢されるので、軸方向の付勢が安定する。
【発明を実施するための最良の形態】
【０００９】
以下、図面を用いてこの発明をさらに詳述する。以下の説明により、この発明をよりよく理解することが可能であろう。なお、以下の説明は、すべての点で例示であって、限定的なものではないと解されるべきである。
【００１０】
この実施の形態では、光学部品の代表的な例として、原稿読取装置の縮小光学系に用いられる結像レンズの取り付けについて説明する。まず、原稿読取装置の全体的な構成を簡単に説明する。
図９は、この発明に係る原稿読取装置の、機構的な構成を模式的に示す説明図である。
図１０は、この発明に係る原稿読取装置の、画像情報の流れを示すブロック図である。図１０で、図９に示す原稿読取装置の機構的部分は、原稿読取部２に相当する。
【００１１】
図１０に示すように、原稿読取装置１は、原稿読取部２、画像処理部５、記憶部６および通信部８を含む。原稿読取部２は、原稿に光を照射し、原稿から反射した光を結像光学系に導いて撮像素子１４で読み取る。撮像素子１４で読み取られた原稿の画像信号は、画像処理部６へ出力される。画像処理部５は、撮像素子１４からの画像信号をＡ／Ｄ変換して画像データに変換し、変換された画像データに色変換処理、フィルタ処理等の画像処理を施す。記憶部６は、画像処理部５が画像データに画像処理を施す際、一時的に処理対象の画像データを記憶する。また、記憶部６は、処理された画像データを通信部８を介して外部の機器へ転送し終えるまで保持する。通信部８は、画像処理部５を介して記憶部６からの画像データを受領し、外部の機器へ転送する。
【００１２】
画像処理部５および通信部８は、例えば、ＣＰＵと、ＣＰＵ実行するプログラムを格納するＲＯＭ、作業用の記憶領域を提供するＲＡＭ、画像処理を行う各ブロックの設定値を記憶する不揮発性メモリ、画像処理用ならびに通信用の回路ブロックを集積したＬＳＩなどを用いた回路で構成することができる。記憶部６は、ＤＲＡＭや他の方式のメモリ素子で構成することができる。また、記憶部６には、ＨＤＤなどの記憶装置を適用することもできる。
【００１３】
図９に示す原稿読取部２は、原稿載置面１１を有する原稿台１２、原稿載置面１１に載置される原稿を照明する光源１３、光源１３によって照明される原稿からの光を受光する撮像素子１４および原稿からの光を撮像素子１４に結像する結像光学系１５を備える。原稿台１２は、透明なガラスからなり、矩形板状に形成される。原稿載置面１１は、原稿台１２の厚み方向の一方の側の面である。原稿載置面１１上には、原稿読取装置の使用者によって読み取り対象の原稿が載置される。光源１３の周囲には、光源からの光を原稿載置面１１に集光する反射板１３ａが設けられている。光源１３、撮像素子１４および結像光学系１５は、原稿台１２に対し、原稿載置面１１と反対側に配置されている。撮像素子１４としては、例えば、電荷結合素子（Charge Coupled Device、略称ＣＣＤ）が用いられる。
【００１４】
結像光学系１５は、結像レンズ１６と、原稿からの光を結像レンズ１６に導くミラー群１７とを有する。結像レンズは、複数枚のレンズを略円筒状の枠部材に固定したもので、枠部材としては、アルミニウムやガラス入りの樹脂などが用いられる。ミラー群１７は、第１ミラー１７ａ、第２ミラー１７ｂおよび第３ミラー１７ｃからなる。光源１３から照射された光は、原稿載置面１１に載置された原稿の表面で乱反射する。原稿の表面から下方に反射した光は、第１ミラー１７ａで反射され、その後第２ミラー１７ｂ、第３ミラー１７ｃで順に反射されて、結像レンズ１６に導かれる。第１ミラー１７ａは、光源１３と共に第１走査ユニット２１に搭載されている。第２および第３ミラー１７ｂ，１７ｃは、第２走査ユニット２２に搭載されている。
【００１５】
第１走査ユニット２１は、図示しない駆動モータ、プーリ、ワイヤからなる駆動系によって駆動され、矢印Ａ１の方向（読取方向）に一定の速度Ｖで移動する。以下、読取方向Ａ１とこの読取方向Ａ１の反対方向Ａ２とを含んで、副走査方向Ａという。第２走査ユニット２２は、前記駆動系によって駆動され、第１走査ユニット２１の速度Ｖに対して２分の１の速度（Ｖ／２）で読取方向Ａ１に移動する。第１走査ユニット２１、第２走査ユニット２２の移動に伴って、ミラー群１７が原稿台１２に沿って移動する。撮像素子１４に結像する原稿の位置（読取位置）は、ミラー群１７の移動に伴って走査始端Ｐ１から走査終端Ｐ２に移動する。第１走査ユニット２１と第２走査ユニット２２の移動中、両者の速度比は２：１に保たれるので、原稿面から結像レンズ１６に至る光路長が一定に保たれる。これによって、走査始端Ｐ１から走査終端Ｐ２までの各読取位置で、原稿載置面１１上の原稿の画像が、撮像素子１４に結像する。
【００１６】
図９（ａ）は、第１走査ユニット２１が走査始端Ｐ１よりも外側の走査開始位置にある状態を示し、図９（ｂ）は、第１走査ユニット２１が走査終端Ｐ２よりも外側の走査終了位置にある状態を示す。
なお、図９で、Ｂで示した方向（紙面に垂直な方向）を主走査方向という。主走査方向Ｂは、副走査方向Ａと直交する。
【００１７】
図４は、この発明に係る原稿読取部２の各部分の形状の一例を示す斜視図である。図４に示すように、結像レンズ１６は、撮像素子１４と一体化された撮像ユニット３１として、平坦な底板３３に取り付けられている。底板３３には、例えば、表面に亜鉛メッキを施した鋼板が用いられる。また、第１走査ユニット２１と第２走査ユニット２２が、結像レンズ１６の上方を通過して底板３３に沿う副走査方向に移動するように取り付けられている。第１走査ユニット２１と第２走査ユニット２２は、それぞれの両端部がガイドレールに支持され、ガイドレール上を移動する。
【００１８】
駆動モータ３５は、第１走査ユニット２１と第２走査ユニット２２を駆動するステッピングモータであり、図示しないモータ制御回路によって回転が制御される。駆動モータ３５の出力軸の回転は、図示しないタイミングベルトを介して駆動シャフト３９に伝達され、駆動シャフトの両端部に取り付けられた駆動プーリ３７ａ、３７ｂを回転させる。駆動プーリ３７ａ、３７ｂには、駆動ワイヤ４１ａ、４１ｂがそれぞれ巻かれており、さらに駆動ワイヤ４１ａ、４１ｂは、それぞれ第１走査ユニット２１と第２走査ユニット２２の両端部に固定されている。駆動プーリ３７ａ、３７ｂの回転は、駆動ワイヤ４１ａ、４１ｂによって直線運動に変換され、第１走査ユニット２１と第２走査ユニット２２を副走査方向に往復させる。駆動シャフト、駆動プーリは鋼製であり、駆動ワイヤとしてスチールワイヤが用いられる。
【００１９】
このような結像光学系１５で、撮像素子１４上に尖鋭な原稿の画像を結像させるために、原稿載置面１１に対する第１走査ユニット２１ならびに第２走査ユニット２２、結像レンズ１６および撮像素子１４の相対的な取付位置が一台ずつ調整され、組み立てられている。従って、結像レンズ１６の取り付け位置を三次元の各方向に精度よく、しっかりと固定することが重要である。結像レンズ１６の光軸の位置と方向がずれると、画像が歪んだり、読取位置がずれたりする。また、結像レンズ１６が光軸方向にずれると、画像がボケたり、主走査方向の倍率が変わったりする。さらに、調整後周囲の温度が変化すると、レンズの枠材と支持部材の線膨張係数の違いにより、結像レンズ１６と撮像素子１４との相対位置が変わる。このため、結像レンズ１６の温度に対する像面ドリフト量の特性に合わせ、いずれかの一端が支持部材の基準面に絶えず当接するように結像レンズ１６を付勢して支持部材に取り付けることが好ましい。
【００２０】
（結像レンズの固定）
図１は、この実施の形態の撮像ユニット３１に、結像レンズ１６を取り付けられる様子を示す斜視図である。図１に示すように、撮像ユニット３１は、レンズ支持板５３に撮像素子１４と結像レンズ１６を取り付けたものである。撮像素子１４は、撮像素子取付板５７ａに取り付けられ、撮像素子取付板５７ａは、撮像素子支持板５７ｂを介してレンズ支持板５３にとりつけられている。撮像素子取付板５７ａ、撮像素子支持板５７ｂおよびレンズ支持板５３には、たとえば、表面に亜鉛メッキを施した鋼板が用いられる。
【００２１】
撮像素子１４は、ＣＣＤであり、各画素に対応する受光素子が横方向に配置されたリニアイメージセンサである。撮像素子１４の取り付け位置は、受光素子が並ぶ主走査方向と、結像レンズ１６の光軸方向とに調整可能である。撮像素子１４からの画像信号は、図示しない配線が接続されて、図１０の画像処理部５が実装された図示しない回路基板と接続される。
【００２２】
レンズ支持板５３には、開口部が設けられており、結像レンズ１６は、周面の一部を開口部に挿入した状態でレンズ固定バンド５１によって固定される。レンズ支持板５３の開口部の縁部には、レンズ固定バンド５１の両端を固定するためのバンド取付部５３ａ、５３ｂが設けられている。また固定バンド５１の両端には、固定バンド５１をレンズ支持板のバンド取付部５３ａ、５３ｂにそれぞれ取り付けるための取付部５１ａ、５１ｂが設けられている。図１の方向からは、バンド取付部５３ａが現れているが、バンド取付部５３ｂは、結像レンズ１６の後ろに隠れている。固定バンドの取付については、以下でさらに詳しく説明する。固定バンド５１は、取付部５１ａでレンズ支持板５３のバンド取付部５３ａに取り付けられている。また、レンズ支持板５３には、レンズ支持板５３を底板３３にビスで取り付けるための取付穴５５ａ〜５５ｄが設けられている。取付穴５５ａ〜５５ｄは長穴状であり、底板３３に対してレンズ支持板５３を結像レンズ１６の光軸方向に調整することができる。
【００２３】
結像レンズ１６がレンズ支持板５３に固定された状態をわかりやすくするために図１に図示していないが、撮像素子１４と結像レンズ１６との間は、撮像素子１４に迷光が入るのを防ぐために樹脂製の暗箱５９で覆われる。暗箱の一端には、結像レンズ１６との隙間を少なくするような形状のレンズホルダ部５９ａが形成されている。図２は、この発明の実施形態で、暗箱５９が取り付けられた状態の撮像ユニット３１を示す斜視図である。また、図３は、図２と異なる側面から撮像ユニット３１をみたときの様子を示す斜視図である。図３に示すように、固定バンド５１は、取付部５１ｂでレンズ支持板５３のバンド取付部５３ｂにビスで取り付けられている。
【００２４】
図５は、この発明に係るレンズ固定バンド５１の形状の一態様を示す斜視図である。図５に示すように、レンズ固定バンド５１は、帯状の部材である。その材質としては、例えば、ステンレス鋼を用いることができるが、これに限定されず、たわみ性を有する材質であればよい。たとえば、燐青銅を用いることもできる。
【００２５】
レンズ固定バンド５１の一端部５１ａには、幅方向の両端を矩形状に切り欠いて細くした取付部５１ａが設けられている。後述するように、取付部５１ａは、レンズ支持板５３の切り欠き部であるバンド取付部５３ａと契合し、固定バンド５１の一端をレンズ支持板５３に固定する。
レンズ固定バンド５１の他端部には、屈曲部が設けられ、屈曲部の先には長穴状のビス穴と円形のボス穴とがあけられた取付部５１ｂが設けられている。後述するように、取付部５１ｂは、レンズ支持板５３のバンド取付部５３ｂにビスで取り付けられる。
【００２６】
レンズ固定バンド５１の両端の取付部５１ａ、５１ｂの中間付近の領域は、胴部５１ｅである。図１に示すように、レンズ固定バンド５１は、胴部５１ｅで結像レンズ１６をレンズ支持板５３に押圧する。また、レンズ固定バンド５１の幅方向の縁には、突起部分５１ｃ、５１ｄが設けられている。レンズ固定バンド５１は、突起部５１ｃ、５１ｄで結像レンズ１６の周面の段差に当接し、結像レンズ１６を光軸に沿う一方向に押圧する。
【００２７】
図７は、この実施の形態において、レンズ固定バンド５１で結像レンズ１６を固定する様子の詳細を示す説明図である。また、図８は、この実施の形態において、レンズ支持板５３の底面側からみた開口部６１の形状を示す説明図である。開口部６１は、略矩形の形状であり、開口部に挿入される結像レンズ１６の光軸に沿う縁部の一方の近傍には、バンド取付部５３ａと５３ｂとが、開口部を介して対向する位置に設けられている。
【００２８】
図８に示すように、バンド取付部５３ａは、縁部に設けられた矩形状の切り欠き部である。切り欠き部にレンズ固定バンド５１の取付部５１ａの幅が細くなった部分を挿入することにより、レンズ固定バンド５１の一端が固定される（図１および図２参照）。バンド取付部５３ｂには、内周にタップが切られたビス穴と、上面側に凸のボスが設けられている（符号５３ｂの先にある点線の枠内を参照）。ボスには、レンズ固定バンド５１の取付部５１ｂのボス穴が嵌められ、取付部５１ｂが位置決めされる。ビス穴には、レンズ固定バンド５１ｂのビス穴が嵌められた取付ビスがネジ止めされる（図３参照）。
【００２９】
図７（ａ）は、図８のレンズ支持板５３のＣ−Ｃ’断面を示す断面図である。斜線部は、断面を示し、斜線が描かれていない領域６２ｂは、開口部６１の一方の縁である。開口部６１には、結像レンズ１６が上方（矢印Ｙ方向）から挿入される。結像レンズ１６は、両端部の直径が中間部よりも大きくなるような光軸方向の段差が２つあり、光軸に垂直な方向の断面が円形である。なお、変形例として、結像レンズ１６の光軸に垂直な方向の断面が正多角形であってもよい。あるいは、このような軸対象な形状でなくても、上方からみて光軸に対して左右対称な形状であればよい。さらに、完全に軸対象あるいは左右対称でなく、結像レンズの位置決めに支障のない部分的な凸部や段差部があってもよい。
【００３０】
図７（ｂ）は、開口部６１に挿入された結像レンズ１６が、レンズ固定バンド５１で固定された状態を示す側面図である。図７（ｃ）は、図７（ｂ）と反対側の側面から、レンズ固定バンド５１で固定された結像レンズ１６を示す側面図である。図７（ｂ）、図７（ｃ）に示すように、レンズ固定バンド５１が両端の取付部５１ａ、５１ｂでレンズ支持板５３に固定されると、レンズ固定バンド５１に張力が生じ、結像レンズ１６を胴部５１ｅでレンズ支持板５３に押圧する。図７（ｂ）、図７（ｃ）の矢印Ｙは、この付勢方向を示している。レンズの周面は、開口部の両縁部６２ａ、６２ｂに当接して、光軸の方向と位置とが固定される。ここで、両縁部６２ａ、６２ｂは、図８に示す開口部の縁のうち、符号６２ａ、６２ｂのそれぞれの矢印の先にある点線で囲まれた範囲内にあり、結像レンズ１６の周面を支持する部分である。レンズ支持板５３は、請求項にいう支持部材であり、両縁部６２ａ、６２ｂは、請求項にいう支持部である。
【００３１】
また、レンズ固定バンド５１の取付部５１ｂ側には、屈曲部があり、レンズ固定バンド５１が両端の取付部５１ａ、５１ｂでレンズ支持板５３に固定されると、胴部５１ｅを取付部５１ａ、５１ｂの直上方向に位置させようとする。しかし、レンズ固定バンド５１は、結像レンズの一方の端面が開口部の縁部６３に当接し、さらにレンズ固定バンド５１の係合部５１ｃ、５１ｄが、結像レンズ１６の段差部に当接した状態で固定されると、鉛直方向に対してわずかに傾いた状態になる。換言すれば、結像レンズ１６を固定した状態で、レンズ固定バンド５１がわずかに傾くように、バンド固定部５３ａ、５３ｂの位置が設定されている。これによって、レンズ固定バンド５１の取付部にネジレが生じ、レンズ固定バンド５１のたわみ性によって結像レンズ１６は、矢印Ｘの方向（光軸方向）に付勢され、端面が縁部６３に当接して位置決めされる。ここで、縁部６３は、図８に示す開口部６１の縁うち、符号６３の矢印の先の点線で囲まれた範囲内にあり、結像レンズ１６の光軸方向の一方の端面が当接する部分である。縁部６３は、請求項にいう軸方向規制部である。
【００３２】
図５の例は、係合部が２箇所であるが、４あるいは６箇所など、係合部が２以上の偶数個であってもよい。係合部を結像レンズ１６の段差部に係合させる位置は、上方から見たときに光軸に対して左右対称になることが好ましい。このようにすれば、結像レンズ１６の端面が縁部６３に当接して付勢された状態で、結像レンズ１６を水平面内で回転させるような回転モーメントが生じないからである。また、結像レンズ１６の頂上付近よりも、レンズ支持板５３に近い位置（低い位置）に係合させるほうが好ましい。このようにすれば、結像レンズ１６の端面が縁部６３に当接して付勢された状態で、結像レンズを支持部から浮かせる方向の回転モーメントが小さくなるからである。
【００３３】
また、図６は、この発明に係るレンズ固定バンド５１の異なる態様を示す斜視図である。図６に示すレンズ固定バンド５１は、唯一つの係合部５１ｃを有する。図５の態様のように、複数の係合部で結像レンズ１６を縁部６３に向けて付勢する方が、安定する。しかし、１箇所の係合部で、結像レンズ１６をＸ方向に向けて付勢することも可能である。このようにすれば、レンズ固定バンド５１を結像レンズ１６の段差部に当接させて固定する作業が容易になる。即ち、撮像ユニット３１の組立作業が容易になる。
【００３４】
なお、この実施の形態のように、結像レンズを固定する部材が帯状の形状を有することにより、固定部材が結像レンズ１６の周面から突出しないという利点もある。この実施の形態の原稿読取装置は、結像レンズ１６の直上を第１走査ユニット２１が通過する。一般に、原稿読取装置１は薄型化が求められるが、図５あるいは図６のような帯状の部材で結像レンズ１６を固定することにより、原稿読取部２の全高を低く抑えることができる。
【００３５】
（その他の変形例）
以上の実施の形態では、光学部品の例として、原稿読取装置の縮小光学系に用いられる結像レンズについて説明した。しかし、この発明に係る光学部品は、それに限定されるものではない。たとえば、レーザビームを集光して感光体を露光するレーザ書き込み光学系を有する画像形成装置がある。このレーザ書き込み光学系で、レーザビームを集光する集光レンズにも適用できる。
【００３６】
図７に示す結像レンズ１６は、全周に段差部を有している。しかし、段差部は周の一部のみにあってもよい。図１１は、この発明に係る結像レンズの異なる実施形態として、結像レンズ１６の周の一部に段差を有する形状を示す側面図である。図１１（ａ）は、結像レンズ１６の上部のみに段差のある形状、図１１（ｂ）は、レンズ固定バンド５１の係合部に当接する周面に突部が設けられた形状、図１１（ｃ）は、レンズの周面の一部にピンが立てられ、ピンの側壁が段差部に該当する例を示す。この場合、レンズ固定バンド５１の係合部は、ピンに係合するようにあけられた穴である。
【００３７】
最後に、前述した実施の形態の他にも、この発明について種々の変形例があり得ることは明らかである。そのような変形例は、この発明の特徴及び範囲に属さないと解されるべきものではない。本発明の範囲には、特許請求の範囲と均等の意味および範囲内でのすべての変更とが含まれることが意図される。
【図面の簡単な説明】
【００３８】
【図１】この実施の形態の撮像ユニット３１に、結像レンズ１６を取り付けられる様子を示す斜視図である。
【図２】この発明の実施形態で、暗箱５９が取り付けられた状態の撮像ユニット３１を示す斜視図である。
【図３】図２と異なる側面から撮像ユニット３１をみたときの様子を示す斜視図である。
【図４】この発明に係る原稿読取部２の各部分の形状の一例を示す斜視図である。
【図５】この発明に係るレンズ固定バンド５１の形状の一態様を示す斜視図である。
【図６】この発明に係るレンズ固定バンド５１の異なる態様を示す斜視図である。
【図７】この実施の形態において、レンズ固定バンド５１で結像レンズ１６を固定する様子の詳細を示す説明図である。
【図８】この実施の形態において、レンズ支持板５３の底面側からみた開口部６１の形状を示す説明図である。
【図９】この発明に係る原稿読取装置の、機構的な構成を模式的に示す説明図である。
【図１０】この発明に係る原稿読取装置の、画像情報の流れを示すブロック図である。
【図１１】この発明に係る結像レンズの異なる実施形態として、結像レンズの周の一部に段差を有する形状を示す側面図である。
【符号の説明】
【００３９】
１    原稿読取装置
２    原稿読取部
５    画像処理部
６    記憶部
８    通信部
１１    原稿載置面
１２    原稿台
１３    光源
１３ａ  反射板
１４    撮像素子、ＣＣＤ
１５    結像光学系
１６    結像レンズ
１７    ミラー群
１７ａ  第１ミラー
１７ｂ  第２ミラー
１７ｃ  第３ミラー
２１    第１走査ユニット
２２    第２走査ユニット
３１    撮像ユニット
３３    底板
３５    駆動モータ
３７ａ、３７ｂ  駆動プーリ
３９    駆動シャフト
４１ａ、４１ｂ  駆動ワイヤ
４３ａ、４３ｂ
５１    レンズ固定バンド
５１ａ、５１ｂ  取付部
５１ｃ、５１ｄ  係合部
５１ｅ  胴部
５３    レンズ支持板
５３ａ、５３ｂ  バンド取付部
５５ａ〜５５ｄ  取付穴
５７ａ  撮像素子取付板
５７ｂ  撮像素子支持板
５９    暗箱
５９ａ  レンズホルダ部
６１    開口部
６２ａ、６２ｂ  支持部
６３    軸方向規制部
【図１】
2008032821.tif 000003
【図２】
2008032821.tif 000004
【図３】
2008032821.tif 000005
【図４】
2008032821.tif 000006
【図５】
2008032821.tif 000007
【図６】
2008032821.tif 000008
【図７】
2008032821.tif 000009
【図８】
2008032821.tif 000010
【図９】
2008032821.tif 000011
【図１０】
2008032821.tif 000012
【図１１】
2008032821.tif 000013